(57)【要約】【課題】軒樋の切断を容易に行うことができ且つ成形性にすぐれた軒樋切断治具を提供する。【解決手段】本願発明の軒樋切断治具１は、前後両方の上端に耳部を有する軒樋の切断に使用するものであり、底壁部２と前壁部３と後壁部４よりなり、前壁部３と後壁部４の上側に軒樋の耳部にそれぞれ係止する耳部係止部６、７が設けられ、内周面が軒樋の外周面と略同一形状に形成され、軒樋の外側に嵌着自在である治具本体５を有し、治具本体５の前壁部３および後壁部４の外周形状はそれぞれ下端と上端を結んだ形状に形成され且つ前壁部３および後壁部４の起立方向の途中に両壁部の対向方向内側に向けて肉盗み部１０、１１がそれぞれ設けられ、治具本体５の両側に鍔状の切断ガイド部８が立設されている。【選択図】図１
2007291738.tif 000002
【特許請求の範囲】
【請求項１】
前後両方の上端に耳部を有する軒樋の切断に使用する軒樋切断治具であって、底壁部と前壁部と後壁部よりなり、前壁部と後壁部の上側に軒樋の耳部にそれぞれ係止する耳部係止部が設けられ、内周面が軒樋の外周面と略同一形状に形成され、軒樋の外側に嵌着自在である治具本体を有し、治具本体の前壁部および後壁部の外周形状はそれぞれ下端と上端を結んだ形状に形成され且つ前壁部および後壁部の起立方向の途中に両壁部の対向方向内側に向けて肉盗み部がそれぞれ設けられ、治具本体の両側に鍔状の切断ガイド部が立設されていることを特徴とする軒樋切断治具。
【請求項２】
切断ガイド部に周方向に延びる凹溝が形成されていることを特徴とする請求項１に記載の軒樋切断治具。
【請求項３】
切断ガイド部の外壁が切断具の切断刃のガイド面に形成されていることを特徴とする請求項１または２に記載の軒樋切断治具。
【請求項４】
切断刃を備えた電動鋸のベース板に着脱される被ガイド部材を備え、この被ガイド部材は、両切断ガイド部の内壁によりガイドされながら移動するのに伴って電動鋸の切断刃が軒樋を切断するために使用されることを特徴とする請求項１または２に記載の軒樋切断治具。
【請求項５】
切断ガイド部の凹溝の周方向両端部が閉塞された構造をなし、切断刃を備えた電動鋸のベース板に着脱される被ガイド部材を備え、この被ガイド部材は、両切断ガイド部の内壁によりガイドされながら移動するのに伴って電動鋸の切断刃が軒樋を切断するために使用され、閉塞された切断ガイド部の端部により、電動鋸の切断刃カバーが押し開かれるようになっていることを特徴とする請求項２に記載の軒樋切断治具。
【発明の詳細な説明】
【技術分野】
【０００１】
本願発明は、軒樋切断治具に関するものである。
【背景技術】
【０００２】
従来より、軒樋の長手方向の任意位置で軒樋を切断するために軒樋切断治具が利用されている。この軒樋切断治具は、例えば、軒樋の長手方向の任意位置に位置決めして取り付け、軒樋を切断する切断具の切断刃を軒樋切断治具に設けた切断ガイド部にガイドさせて行われている。また、軒樋切断治具本体の両側に設けた切断ガイド部に、電動鋸のベース板に装着した被ガイド部材を擦動可能とし電動鋸の歯を一方の切断ガイド部の外側に位置するように配置し、軒樋を切断する提案も本出願人によりなされている（特許文献１、２）。
【特許文献１】特開２００５−１６１１５号公報
【特許文献２】特開２００５−３４４２８２号公報
【発明の開示】
【発明が解決しようとする課題】
【０００３】
軒樋は強度確保などのため複数の段部を設けているのが実情である。このような軒樋を施工する場合、上記のような軒樋切断治具が利用されるが、その軒樋切断治具は合成樹脂を射出成形して作られるのが一般的である。
【０００４】
ところが、複数の段部を設けた軒樋の軒樋切断治具を作製する場合、軒樋の外周形状にならった形状にすると軒樋の切断がしにくくなるという問題があった。また、切断を容易にするため、軒樋の底壁部の端部に相当する部位から軒樋の壁部上側に相当する部位にかけてなめらかな形状にしようとすると軒樋切断治具が厚肉になり、成形性が悪くなるという問題があった。
【０００５】
そこで、本願発明は、以上の通りの背景からなされたものであり、軒樋の切断を容易に行うことができ且つ成形性にすぐれた軒樋切断治具を提供することを課題とする。
【０００６】
また、本願発明は、切断刃の開閉自在な切断刃カバー（安全カバー）付き電動鋸を用いた場合、切断刃カバーを容易に開くことができる軒樋切断治具を提供することを別の課題とする。
【課題を解決するための手段】
【０００７】
本願発明の軒樋切断治具は、上記課題を解決するため、第１には、前後両方の上端に耳部を有する軒樋の切断に使用する軒樋切断治具であって、底壁部と前壁部と後壁部よりなり、前壁部と後壁部の上側に軒樋の耳部にそれぞれ係止する耳部係止部が設けられ、内周面が軒樋の外周面と略同一形状に形成され、軒樋の外側に嵌着自在である治具本体を有し、治具本体の前壁部および後壁部の外周形状はそれぞれ下端と上端を結んだ形状に形成され且つ前壁部および後壁部の起立方向の途中に両壁部の対向方向内側に向けて肉盗み部がそれぞれ設けられ、治具本体の両側に鍔状の切断ガイド部が立設されていることを特徴とする。
【０００８】
また、第２には、上記第１の発明において、切断ガイド部に周方向に延びる凹溝が形成されていることを特徴とする。
【０００９】
また、第３には、上記第１または第２の発明において、切断ガイド部の外壁が切断具の切断刃のガイド面に形成されていることを特徴とする。
【００１０】
また、第４には、上記第１または第２の発明において、切断刃を備えた電動鋸のベース板に着脱される被ガイド部材を備え、この被ガイド部材は、両切断ガイド部の内壁によりガイドされながら移動するのに伴って電動鋸の切断刃が軒樋を切断するために使用されることを特徴とする。
【００１１】
さらに、第５には、上記第２の発明において、切断ガイド部の凹溝の周方向両端部が閉塞された構造をなし、切断刃を備えた電動鋸のベース板に着脱される被ガイド部材を備え、この被ガイド部材は、両切断ガイド部の内壁によりガイドされながら移動するのに伴って電動鋸の切断刃が軒樋を切断するために使用され、閉塞された切断ガイド部の端部により、電動鋸の切断刃カバーが押し開かれるようになっていることを特徴とする。
【発明の効果】
【００１２】
本願請求項１の発明によれば、治具本体の前壁部および後壁部の外周形状をそれぞれ下端と上端を結んだ形状に形成し且つ前壁部および後壁部の起立方向の途中に両壁部の対向方向内側に向けた肉盗み部をそれぞれ設けたので、全体として成形品の形状が等肉に近くなり、成形性がすぐれたものとなる。
【００１３】
本願請求項２の発明によれば、切断ガイド部に周方向に延びる凹溝を形成したので、切断ガイド部の強度を高めるために厚くしても、肉盗みを行うことができ、成形性を良好に維持することができる。
【００１４】
本願請求項３の発明によれば、切断ガイド部の外壁を切断具の切断刃のガイド面として金鋸などの切断具を用いて軒樋切断作業を行うことができる。
【００１５】
本願請求項４の発明によれば、両切断ガイド部の内壁により被ガイド部材がガイドされながら移動するのに伴って電動鋸の切断刃が軒樋を切断するので、仕上がり良い切断を周方向に確保することができる。
【００１６】
本願請求項５の発明によれば、電動鋸の前進に伴って切断ガイド部の凹溝の周方向端部に設けられた閉塞部が切断刃カバーと当接するので、切断刃カバーが滑らかに押し開かれ、電動鋸の切断刃を確実かつ十分に露出することが可能となり、その結果、軒樋の切断作業が容易になるとともに、切断面の仕上がり状態を良好とすることができる。
【発明を実施するための最良の形態】
【００１７】
本願発明は上記のとおりの特徴を持つものであるが、以下にその実施の形態について説明する。
【００１８】
図１および図２は本願発明の一実施形態に係る軒樋切断治具をそれぞれ上下逆にして示す斜視図であり、図３は同上正面図である。
【００１９】
本実施形態の軒樋切断治具１は、前後両方の上端に耳部を有する軒樋の切断に使用するものである。この軒樋切断治具１は、平板状の底壁部２と前壁部３と後壁部４よりなる治具本体５を有する。治具本体５の内周面は軒樋の外周面と略同一形状に形成され、前耳部係止部６と後耳部係止部７が設けられている。また治具本体５の両側縁には切断ガイド部８が立設されており、その周方向には凹溝９が形成されている。凹溝９の周方向両端は、後述するように電動鋸の切断刃のカバーを押し開くために閉塞部９Ａにより閉塞されている。両切断ガイド部８は、その内壁の間を擦動溝とし、上記特許文献１、２と同様、電動鋸のベース板に装着した被ガイド部材を擦動可能とし電動鋸の切断刃を一方の切断ガイド部８の外側に位置するように配置し、軒樋を切断できるようになっている。治具本体５の前壁部３と後壁部４の外周は底壁部２の端部と前壁部３、後壁部４の端部を結んだ形状に形成されており、肉盗み部１０、１１が治具本体５の両壁部の対向方向に向けて幅方向にわたって設けられている。この肉盗み部１０、１１により軒樋切断治具１が全体として均一な肉厚となり、その成形性を良好なものとしている。また、上記の凹溝９の形成によっても、切断ガイド部８のガイド機能を良好にするため厚くしても全体としての肉厚が均一化され、良好な成形性の維持に寄与している。
【００２０】
前壁部３の上方には前壁部本体３Ａから耳部押さえ片１２の一部を構成する縦向き片１３が略垂直方向に分岐しており、連結部１４を介して横向き片１５が水平方向内方、すなわち軒樋に臨む方向に延設されている。この横向き片１５の先端下方には軒樋の前耳部を押さえる耳部押さえ突条１６が治具本体５の幅方向にわたって設けられている。また、横向き片１５の先端上方には、傾斜面となっている指押し用平面部１７を有する指押し片１８が図示のように傾斜して立設されている。この耳部押さえ片１２と指押し片１８は、前壁部本体３Ａの分岐部位を支点として弾性を持って設けられている。
【００２１】
また、後壁部４の上方には後壁部本体４Ａから耳部押さえ片１９を構成する横向き片２０が分岐しており、この横向き片２０の先端下方には軒樋の後耳部を押さえる耳部押さえ突条２１が治具本体５の幅方向にわたって設けられている。また、横向き片２０の先端上方には、若干傾斜面となっている指押し用平面部２２を有する指押し片２３が図示のように立設されている。この耳部押さえ片１９と指押し片２３は、前壁部本体４Ａの分岐部位を支点として弾性を持って設けられている。
【００２２】
なお、軒樋切断治具１には、指押し片１８、２３が弾性により移動できるように空間部２４、２５が設けてある。
【００２３】
本実施形態の軒樋切断治具１を構成する材料としては、所期の目的を達成するものであれば特に制約されることはないが、耳部押さえ片１２と指押し片１８、耳部押さえ片１９と指押し片２３が弾性を持って設けられる可撓性を有する材料、例えば塩化ビニル樹脂、ＡＢＳ樹脂のような可撓性合成樹脂材料を用いることができる。
【００２４】
本実施形態の軒樋切断治具１は図４に示すように、特許文献１、２に示すような態様で用いることができる（図４には便宜的に同特許文献に記載されている態様を示してある）。すなわち、電動鋸２６が設置されたベース板２７の前方に被ガイド部材２８を取り付け、被ガイド部材２８の下部を切断ガイド部８の内壁間の摺動溝を摺動させながら切断刃２９により軒樋を切断する。その切断に先立って、電動鋸２６の切断刃カバー３０は切断ガイド部８の凹溝９の端部に設けられた閉塞部９Ａに当接し、切断刃カバー３０の周方向に押し開かれ、切断刃２９が露出するようになっている。
【００２５】
本実施形態の軒樋切断治具１を用いて軒樋を切断する場合、軒樋切断治具１を所定位置に位置決めして軒樋に嵌合させて取り付ける。その際、指押し片１８、２３の指押し用平面部１７、２２は傾斜面となっており、また耳部押さえ片１２と指押し片１８、耳部押さえ片１９と指押し片２３は、前壁部本体３Ａ、後壁部本体４Ａとの分岐部分を支点として弾性を持って設けられているので、指押し用平面部１７、２２がガイド傾斜面としての役割を行い、スムーズに軒樋への取り付けを行うことができる。
【００２６】
また、軒樋切断治具１を軒樋に嵌合させて取り付けたときに、耳部押さえ片１２、１９が弾性を持って設けられているので、軒樋の寸法にバラツキがあってもそのバラツキをほどよく吸収することができる。軒樋切断治具１を軒樋に取り付けた後は、上記のように被ガイド部材２８のガイドのもとで電動鋸２６により軒樋の切断がスムーズに行われる。そして、切断後には、軒樋切断治具１の指押し片１８、２３のいずれか一方を指で押すことによりその弾性を利用して堅固な嵌合状態が解除され、容易に取り外しが可能になる。
【００２７】
上記実施形態においては、一対の切断ガイド部８の間を摺動溝とし、被ガイド部材２８を用いて電動鋸２６で切断を行ったが、本願発明によれば、従前と同様、いずれか一方の切断ガイド部８の外壁をガイド当て面とし、金鋸などの切断具により切断を行うようにしてもよい。
【図面の簡単な説明】
【００２８】
【図１】本願発明の一実施形態に係る軒樋切断治具を示す斜視図である。
【図２】同上実施形態に係る軒樋切断治具を上下逆にして示す斜視図である。
【図３】同上実施形態に係る軒樋切断治具の正面図である。
【図４】同上実施形態の切断の態様を示す図である。
【符号の説明】
【００２９】
１    軒樋切断治具
２    底壁部
３    前壁部
４    後壁部
５    治具本体
６    前耳部係止部
７    後耳部係止部
８    切断ガイド部
９    凹溝
９Ａ    閉塞部
１０、１１    肉盗み部
２６    電動鋸
２７    ベース板
２８    被ガイド部材
２９    切断刃
３０    切断刃カバー
【図１】
2007291738.tif 000003
【図２】
2007291738.tif 000004
【図３】
2007291738.tif 000005
【図４】
2007291738.tif 000006